(57)【要約】【課題】印刷物の適切な位置に適切なサイズからなるノンブルを容易且つ高精度に設定することのできる印刷画像処理装置及び処理方法を提供する。【解決手段】面付け処理装置２６の面付けパラメータ設定部３２は、刷版上でのページコンテンツの仕上がりサイズ、面付け方式、ノンブルの記録位置を面付けパラメータとして設定し、面付け処理部３４は、ページコンテンツ作成装置２４から供給されたページコンテンツに対して、仕上がりサイズ及び面付け方式に従った面付け処理を行い、ノンブル追加処理部３６は、面付け処理後のページコンテンツに対して、ノンブルの記録位置に従ってノンブルの追加処理を行う。【選択図】図１
2009282672.tif 000002
【特許請求の範囲】
【請求項１】
印刷物を作成するため、刷版上でのページコンテンツの仕上がりサイズ及び面付け方式を面付けパラメータとして設定するとともに、前記ページコンテンツに付加するノンブルの前記印刷物上での記録位置を面付けパラメータとして設定する面付けパラメータ設定部と、
前記仕上がりサイズ及び前記面付け方式に係る前記面付けパラメータに従い、前記刷版に対する前記ページコンテンツの面付け処理を行う面付け処理部と、
前記記録位置に係る前記面付けパラメータに従い、前記面付け処理された前記ページコンテンツに対して、前記ノンブルの追加処理を行うノンブル追加処理部と、
を備え、前記ページコンテンツ及び前記ノンブルを前記刷版に記録することを特徴とする印刷画像処理装置。
【請求項２】
請求項１記載の装置において、
前記面付けパラメータ設定部は、前記ページコンテンツのブリードに係る前記面付けパラメータを設定し、
前記面付け処理部は、前記ブリードに係る前記面付けパラメータに従って前記ページコンテンツの面付け処理を行うことを特徴とする印刷画像処理装置。
【請求項３】
請求項１記載の装置において、
前記面付けパラメータ設定部は、前記ノンブルのフォント、フォントサイズ又は色に係る前記面付けパラメータを設定し、
前記ノンブル追加処理部は、前記フォント、前記フォントサイズ又は前記色に係る前記面付けパラメータに従って前記ノンブルの追加処理を行うことを特徴とする印刷画像処理装置。
【請求項４】
印刷物を作成するため、刷版上でのページコンテンツの仕上がりサイズ及び面付け方式を面付けパラメータとして設定するとともに、前記ページコンテンツに付加するノンブルの前記印刷物上での記録位置を面付けパラメータとして設定するステップと、
前記仕上がりサイズ及び前記面付け方式に係る前記面付けパラメータに従い、前記刷版に対する前記ページコンテンツの面付け処理を行うステップと、
前記記録位置に係る前記面付けパラメータに従い、前記面付け処理された前記ページコンテンツに対して、前記ノンブルの追加処理を行うステップと、
を有し、前記ページコンテンツ及び前記ノンブルを前記刷版に記録することを特徴とする印刷画像処理方法。
【請求項５】
請求項４記載の方法において、
前記ページコンテンツのブリードに係る前記面付けパラメータを設定し、前記ブリードに係る前記面付けパラメータに従って前記ページコンテンツの面付け処理を行うことを特徴とする印刷画像処理方法。
【請求項６】
請求項４記載の方法において、
前記ノンブルのフォント、フォントサイズ又は色に係る前記面付けパラメータを設定し、前記フォント、前記フォントサイズ又は前記色に係る前記面付けパラメータに従って前記ノンブルの追加処理を行うことを特徴とする印刷画像処理方法。
【発明の詳細な説明】
【技術分野】
【０００１】
本発明は、印刷物を作成するための面付け処理を行う印刷画像処理装置及び処理方法に関する。
【背景技術】
【０００２】
近年、印刷物の作成作業は、コンピュータにより印刷用コンテンツの作成、編集を行い、レーザプリンタやイメージセッタ等のデジタル印刷装置を用いて印刷物を作成する、いわゆる、デスクトップパブリッシング（ＤＴＰ）が主流になっている。
【０００３】
この場合、印刷用コンテンツには、文章（テキスト）だけでなく、写真や絵のような画像（イメージ）、線画（パス）等が含まれており、これらの印刷用コンテンツが、例えば、ＰＤＦ（Portable Document Format）のファイル形式からなるオブジェクトとして作成され供給される。
【０００４】
図６は、このような印刷用コンテンツを取得して印刷物を作成する従来工程の概略フローチャートである。
【０００５】
編集者やデザイナーは、作家やアーティストによって作成された印刷用コンテンツを取得し、これらの印刷用コンテンツの印刷物上でのページレイアウトを決定するとともに、ページ番号を含むノンブルをページレイアウトに付加し、ノンブル付きページコンテンツとして面付け処理装置に供給する（ステップＳ１）。図７は、各印刷用コンテンツであるテキストオブジェクト２、イメージオブジェクト４、パスオブジェクト６及びノンブル８を１ページに配置したノンブル付きページコンテンツ１０の概念図である。なお、ノンブル８もオブジェクトとして供給される。
【０００６】
ノンブル付きページコンテンツ１０を取得した面付け処理装置では、オペレータによって印刷物の仕上がりサイズ（例えば、Ａ５版、Ｂ５版等）、ブリード、面付け方式等の面付けパラメータが設定された後（ステップＳ２）、刷版に対する面付け処理が行われる（ステップＳ３）。図８は、刷版１２上に面付け処理された各ノンブル付きページコンテンツ１０の概念図である。
【０００７】
ここで、ブリードとは、１枚の刷版を用いて１枚の印刷用紙に複数ページを印刷した後、それらを切り離して印刷物を作成する際、切り離した印刷物の画像の周縁に白抜けが出ないようにするため、あるいは、折り丁を作成した際に生じる印刷用紙の厚みに起因する印刷位置のずれを吸収するため、刷版上の各ページコンテンツに設定される切り取り代のことである。また、面付け方式とは、中綴じ、平綴じ等の製本の様式であり、その様式により、各ページコンテンツ内でのノンブルの配置が決まってくる。図８は、中綴じの面付け方式が設定されている場合であり、ノンブル８の配置が左右のノンブル付きページコンテンツ１０で異なっている。
【０００８】
面付け処理が行われたノンブル付きページコンテンツ１０は、イメージセッタに供給され、刷版１２上に複数のノンブル付きページコンテンツ１０が形成される（ステップＳ４）。次いで、この刷版１２が印刷機に掛けられて、所望の印刷物が作成される（ステップＳ５）。
【０００９】
ところで、従来は、図７に示すように、デザイナー等が、面付け処理前の各印刷用コンテンツであるテキストオブジェクト２、イメージオブジェクト４及びパスオブジェクト６を各ページにレイアウトする際に、ノンブル８の配置を決定している（特許文献１、２参照）。
【００１０】
この場合、図８に示すように、レイアウトされた各ノンブル付きページコンテンツ１０を刷版１２上に面付け処理するときには、仕上がりサイズに従って各ノンブル付きページコンテンツ１０の拡縮が行われるとともに、ブリードや面付け方式が設定される。従って、デザイナーは、刷版１２上のノンブル付きページコンテンツ１０の適切な位置に適切なサイズのノンブル８が形成されるよう、予めこれらの面付けパラメータを考慮して、面付け処理前のページコンテンツ上でのノンブル８の配置やサイズを計算し、ノンブル８をページコンテンツにレイアウトしなければならない。そのため、デザイナーには、ノンブル８を適切に設定するための高い技術、あるいは、熟練が要求される。また、面付け方式やノンブル８のデザインに変更が生じた場合には、面付け処理に先立ち、ノンブル付きページコンテンツ１０の作成処理を再度行わなければならない。
【００１１】
【特許文献１】特開平７−１４３３２７号公報
【特許文献２】特開平７−２４５６９４号公報
【発明の開示】
【発明が解決しようとする課題】
【００１２】
本発明は、前記の不具合を解消するためになされたものであり、印刷物の適切な位置に適切なサイズからなるノンブルを容易且つ高精度に設定することのできる印刷画像処理装置及び処理方法を提供することを目的とする。
【課題を解決するための手段】
【００１３】
前記の目的を達成するために、本発明は、印刷物を作成するため、刷版上でのページコンテンツの仕上がりサイズ及び面付け方式を面付けパラメータとして設定するとともに、前記ページコンテンツに付加するノンブルの前記印刷物上での記録位置を面付けパラメータとして設定する面付けパラメータ設定部と、
前記仕上がりサイズ及び前記面付け方式に係る前記面付けパラメータに従い、前記刷版に対する前記ページコンテンツの面付け処理を行う面付け処理部と、
前記記録位置に係る前記面付けパラメータに従い、前記面付け処理された前記ページコンテンツに対して、前記ノンブルの追加処理を行うノンブル追加処理部と、
を備え、前記ページコンテンツ及び前記ノンブルを前記刷版に記録することを特徴とする。
【００１４】
また、本発明は、印刷物を作成するため、刷版上でのページコンテンツの仕上がりサイズ及び面付け方式を面付けパラメータとして設定するとともに、前記ページコンテンツに付加するノンブルの前記印刷物上での記録位置を面付けパラメータとして設定するステップと、
前記仕上がりサイズ及び前記面付け方式に係る前記面付けパラメータに従い、前記刷版に対する前記ページコンテンツの面付け処理を行うステップと、
前記記録位置に係る前記面付けパラメータに従い、前記面付け処理された前記ページコンテンツに対して、前記ノンブルの追加処理を行うステップと、
を有し、前記ページコンテンツ及び前記ノンブルを前記刷版に記録することを特徴とする。
【発明の効果】
【００１５】
本発明の印刷画像処理装置及び処理方法では、刷版に対する面付け処理を行った後のページコンテンツに対してノンブルの追加処理を行うことにより、印刷物の適切な位置に適切なサイズからなるノンブルを容易且つ高精度に設定することができる。また、ノンブルの変更に対しても容易に対応することができる。
【発明を実施するための最良の形態】
【００１６】
図１は、本発明の印刷画像処理装置及び処理方法が適用される実施形態である印刷システム２０の構成ブロック図である。
【００１７】
印刷システム２０は、作家やアーティストにより、文章、画像又は線画からなる印刷用コンテンツを作成する印刷用コンテンツ作成装置２２と、編集者やデザイナーにより、印刷物上における各印刷用コンテンツの１ページ分のレイアウトを設定したページコンテンツを作成するページコンテンツ作成装置２４と、ページコンテンツの刷版上における面付け処理及びノンブル追加処理を行う面付け処理装置２６と、面付け処理されたページコンテンツを刷版上に記録するイメージセッタ２８と、刷版を用いて印刷物を作成する印刷機３０とから基本的に構成される。
【００１８】
面付け処理装置２６は、ページコンテンツの刷版上での仕上がりサイズ、ブリード、面付け方式等を面付けパラメータとして設定するとともに、ページコンテンツに付加するノンブルのフォント、フォントサイズ、刷版上での記録位置、色等のノンブル情報を面付けパラメータとして設定する面付けパラメータ設定部３２と、前記ノンブル情報を除く前記面付けパラメータに従い、ページコンテンツの刷版に対する面付け処理を行う面付け処理部３４と、面付け処理されたページコンテンツに対して、前記ノンブル情報に係る面付けパラメータに従ったノンブルの追加処理を行うノンブル追加処理部３６とを備える。
【００１９】
本実施形態の印刷システム２０は、基本的には以上のように構成されるものであり、次に、図２及び図３に示すフローチャートに従い、印刷物の作成処理について説明する。
【００２０】
先ず、作家やアーティストは、印刷用コンテンツ作成装置２２を用いて、文章、画像又は線画からなる印刷用コンテンツを作成する（ステップＳ１１）。作成された各印刷用コンテンツは、例えば、ＰＤＦのファイル形式からなるオブジェクトデータとしてページコンテンツ作成装置２４に供給される（ステップＳ１２）。
【００２１】
次に、編集者やデザイナーは、ページコンテンツ作成装置２４を用いて、印刷物の各ページを構成する印刷用コンテンツのページレイアウトを設定することにより、ページコンテンツを作成する（ステップＳ１３）。図４は、印刷用コンテンツであるテキストオブジェクト３８、イメージオブジェクト４０及びパスオブジェクト４２のページレイアウトが設定されたページコンテンツ４４の一例を示す。ページレイアウトが設定されたページコンテンツ４４は、面付け処理装置２６に供給される（ステップＳ１４）。
【００２２】
面付け処理装置２６では、面付けパラメータ設定部３２により、刷版４８のサイズ、複数のページコンテンツ４４、４６の刷版４８上での仕上がりサイズ、ブリード、面付け方式、ノンブル情報等の面付けパラメータが設定される（ステップＳ１５）。
【００２３】
具体的には、仕上がりサイズとしては、Ａ４版、Ｂ５版といった印刷物の大きさが設定され、ブリードとしては、例えば、図５に示すように、刷版４８上に面付けされたページコンテンツ４４、４６の外周部から切り取り位置である仕上がり線４９までの距離（ΔＸ，ΔＹ）が設定され、面付け方式としては、中綴じ、平綴じ等の製本の様式が設定される。なお、図４及び図５は、中綴じの面付け方式が設定された場合を示す。また、ノンブル情報としては、ノンブル５０のフォント、フォントサイズ、色等が設定されるとともに、例えば、図５に示すように、各ページコンテンツ４４、４６の印刷物上での基準とする仕上がり角部（ＡX，ＡY）、（ＢX，ＢY）からの距離（ｘ，ｙ）が記録位置として設定される。
【００２４】
面付け処理部３４は、ノンブル情報を除く面付けパラメータに従い、面付け処理装置２６から供給されたページコンテンツ４４、４６の刷版４８に対する面付け処理を行う（ステップＳ１６）。この場合、ページコンテンツ４４、４６は、図４に示すように、印刷物の仕上がりサイズに係る面付けパラメータに応じて拡縮され、刷版４８の原点（０，０）を基準として、刷版４８のサイズ及び面付け方式に従った所定位置に面付けされる。すなわち、ページコンテンツ４４、４６には、面付けパラメータであるブリードに従った仕上がり線４９が設定されており、ページコンテンツ４４、４６は、この仕上がり線４９によって規定される仕上がり角部（ＡX，ＡY）、（ＢX，ＢY）が刷版４８の原点（０，０）を基準とした所定位置となるように設定される。また、仕上がり線４９を示すページコンテンツ４４、４６の外周部には、印刷物の切断線を示すトンボ５１が設定される。
【００２５】
次いで、ノンブル追加処理部３６は、刷版４８上に設定されたページコンテンツ４４、４６に対して、ノンブル情報に係る面付けパラメータを用いて、ノンブルの追加処理を行う（ステップＳ１７）。この処理につき、図３のフローチャートに従って説明する。
【００２６】
先ず、ノンブル追加処理部３６は、ページコンテンツ４４、４６に追加するページ番号を設定し（ステップＳ２１）、このページ番号を文字列オブジェクトに変換する（ステップＳ２２）。
【００２７】
次に、ノンブル情報を用いて、ノンブル５０の文字列オブジェクトのサイズを決定するとともに（ステップＳ２３）、ノンブル５０の文字列オブジェクトの刷版４８上での記録位置を決定する（ステップＳ２４）。
【００２８】
すなわち、各ページコンテンツ４４、４６に設定されるノンブル５０のサイズ（幅Ｗ、Ｗ′、高さＨ、Ｈ′）は、フォントサイズ及びページ番号の桁数に従って算出され、決定される。
【００２９】
また、刷版４８に記録されるページコンテンツ４４、４６に追加されるノンブル５０は、面付けパラメータにより、各ページコンテンツ４４、４６の印刷物上での基準とする仕上がり角部（ＡX，ＡY）、（ＢX，ＢY）からの距離（ｘ，ｙ）として指定されている。
【００３０】
従って、ページコンテンツ４４に追加されるノンブル５０の刷版４８に対する記録位置（Ｘ，Ｙ）は、ノンブル５０が図５に示す左上に設定されるものとして、
Ｘ＝ＡX＋ｘ
Ｙ＝ＡY＋ｙ＋Ｈ
として算出される。同様にして、ページコンテンツ４６に追加されるノンブル５０の刷版４８に対する記録位置（Ｘ′，Ｙ′）は、ノンブル５０が図５に示す右上に設定されるものとして、
Ｘ′＝ＢX−ｘ−Ｗ′
Ｙ′＝ＢY＋ｙ＋Ｈ′
として算出される。
【００３１】
以上のようにして決定されたノンブル５０の記録位置（Ｘ，Ｙ）、（Ｘ′，Ｙ′）及びサイズ（幅Ｗ、Ｗ′、高さＨ、Ｈ′）は、ノンブルマトリクスとして設定される。また、このノンブル５０には、フォント及び色が設定される（ステップＳ２５）。
【００３２】
設定されたノンブルマトリクスを用いて、面付け処理部３４で面付け処理されたページコンテンツ４４、４６にノンブル５０を追加する（ステップＳ２６）。
【００３３】
この場合、ノンブル５０を除く面付け処理と、ノンブル５０を追加する処理とが分離されているため、オペレータは、面付け処理の際のページコンテンツ４４、４６の拡縮や面付け方式に配慮することなく、ノンブル５０の位置及びサイズを印刷物上の位置及びサイズとして直接指定することができる。従って、オペレータは、ページコンテンツ４４、４６の所望の位置に所望のサイズからなるノンブル５０を容易且つ高精度に設定することができる。また、ノンブル５０の位置やデザイン等に変更が生じた場合には、ページコンテンツ４４、４６を変更することなく、ノンブル情報のみを変更することで、容易に対応することができる。
【００３４】
以上のようにして面付け処理された後、ノンブル５０が追加されたノンブル付きページコンテンツは、イメージセッタ２８に供給され、刷版４８が作成される（ステップＳ１８）。次いで、刷版４８は、印刷機３０に供給され、所望の印刷物が作成される（ステップＳ１９）。
【００３５】
なお、本発明は、上述した実施形態に限定されるものではなく、本発明の主旨を逸脱しない範囲で自由に変更できることは勿論である。
【図面の簡単な説明】
【００３６】
【図１】本実施形態の印刷システムの構成ブロック図である。
【図２】本実施形態の印刷システムによる印刷物の作成処理のフローチャートである。
【図３】本実施形態の印刷システムによるノンブル追加処理のフローチャートである。
【図４】本実施形態の印刷システムにより作成されるページコンテンツの説明図である。
【図５】本実施形態の印刷システムにより作成されるページコンテンツに対して設定されるノンブルの説明図である。
【図６】印刷用コンテンツを取得して印刷物を作成する従来工程の概略フローチャートである。
【図７】従来のノンブル付きページコンテンツの概念図である。
【図８】刷版上に面付け処理された従来のノンブル付きページコンテンツの概念図である。
【符号の説明】
【００３７】
２０…印刷システム
２２…印刷用コンテンツ作成装置
２４…ページコンテンツ作成装置
２６…面付け処理装置
２８…イメージセッタ
３０…印刷機
３２…面付けパラメータ設定部
３４…面付け処理部
３６…ノンブル追加処理部
３８…テキストオブジェクト
４０…イメージオブジェクト
４２…パスオブジェクト
４４、４６…ページコンテンツ
４８…刷版
５０…ノンブル
【図１】
2009282672.tif 000003
【図２】
2009282672.tif 000004
【図３】
2009282672.tif 000005
【図４】
2009282672.tif 000006
【図５】
2009282672.tif 000007
【図６】
2009282672.tif 000008
【図７】
2009282672.tif 000009
【図８】
2009282672.tif 000010